(57)【要約】【課題】衣服に接触するスライド基体の接触抵抗を軽減して移動し易くした釣り用ウエストバックを提供することである。【解決手段】釣り用ウエストバックはウエストベルト１にスライド基体２が長手方向に移動自在に取り付けられてスライド基体２の外側に、上方に開口を有する釣り用バック本体３が取り付けられ、ウエストベルト１のベルト体４は扁平な紐や合成樹脂繊維の織布からなり、スライド基体２は金属材や合成樹脂材で形成されてスライド基体２は台部２ａの両側に平板部２ｂ、２ｂが突出形成され、台部２ａに穿設されたベルト体４が遊嵌される透孔２ｃと、台部２ａのウエストベルト１の内側になる背面全体が湾曲の傾斜面２ｄとで形成されている。傾斜面２ｄはベルト体４が遊嵌される透孔２ｃの一方のベルト挿入口ａと他方のベルト挿入口ｂから夫々立ち上がっている。【選択図】        図２
2004254539.tif 000002
【特許請求の範囲】
【請求項１】
スライド基体をベルトに遊嵌すると共に前記スライド基体の外側にバックを設け、前記スライド基体のベルトに沿って移動する移動方向の内側の端部に傾斜面を設けたことを特徴とする釣り用ウエストバック。
【請求項２】
前記スライド基体の内側の傾斜面をベルト挿入口から立ち上げたことを特徴とする請求項１記載の釣り用ウエストバック。
【発明の詳細な説明】
【０００１】
【発明の属する技術分野】
本発明は、スライド基体の外側にバックを設けてベルトに沿って移動可能な釣り用ウエストバックの改良に関する。
【０００２】
【従来の技術】
【特許文献１】実開昭６３−１２２０８１号公報
【特許文献２】特開平１１−７５６５１号公報
【０００３】
【特許文献１】には、開閉可能な容体の背部に、一部をスナップ等により接合、分離可能としたバンド通しを取付けた釣用小物入れが示されている。
【特許文献２】には、身体に装着されるウエストベルトにベルト保持部で釣具収納ボックスを保持させたまま、その釣具収納ボックスを開いて釣具を取り出したり釣具を収納したりすることのできる釣具収納ボックスの携行具が示されている。
【０００４】
従来釣りで釣用小物入れや釣具収納ボックスが使用される時は、ズボンのベルトや衣服の上にウエストベルトが取り付けられてズボンのベルトやウエストベルトに特許文献１の釣用小物入れが取り付けられたり、特許文献２のように身体に装着されるウエストベルトにベルト保持部で釣具収納ボックスを保持させていた。
釣り場で身体に装着した釣用小物入れや釣具収納ボックスから物を取り出す時には、釣用小物入れや釣具収納ボックスを身体の前側に装着して使用し、それ以外の時は釣りの邪魔にならないように、釣用小物入れや釣具収納ボックスを身体の側部より後ろ側に装着していることが好ましい。
【０００５】
しかし、このように釣用小物入れや釣具収納ボックスを身体の前側に装着したり、後ろ側に装着したりするには、特許文献１の釣用小物入れではズボンのベルトに取り付けられているためズボンのベルト通しに釣用小物入れのバンド通しがぶつかって移動出来なかった。
また、特許文献１の釣用小物入れを衣服の上にウエストベルトが取り付けられてこのウエストベルトに釣用小物入れを取り付けている時や特許文献２の身体に装着されるベルトにベルト保持部で釣具収納ボックスを保持させた時には、ウエストベルトごと回して衣服の上を移動させることは摩擦抵抗が大きく困難であり、ベルトをそのままに衣服の上を釣用小物入れや釣具収納ボックスを移動する場合でも衣服と、釣用小物入れに取り付けられたバンド通し（取付部）や釣具収納ボックスのベルト保持部が摩擦して移動し難い欠点があり、ベルトを外して移動させていた。
【０００６】
【発明が解決しようとする課題】
解決しようとする課題は、釣用小物入れや釣具収納ボックスを身体の前側に装着したり、後ろ側に装着したりするには、特許文献１の釣用小物入れではズボンのベルトに取り付けられた時にはズボンのバンド通しに釣用小物入れのバンド通しがぶつかって移動出来なかった。
また、特許文献１の釣用小物入れを衣服の上にウエストベルトが取り付けられてこのウエストベルトに釣用小物入れが取り付けられている時や特許文献２の身体に装着されるベルトにベルト保持部で釣具収納ボックスを保持させた時には、ベルトごと回して衣服の上を移動することは摩擦抵抗が大きく困難であり、ベルトをそのままに衣服の上を釣用小物入れや釣具収納ボックスを移動する場合でも衣服と、釣用小物入れに取り付けられたバンド通しや釣具収納ボックスのベルト保持部が摩擦して移動し難い欠点がある。
ことである。
【０００７】
本発明の目的は前記欠点に鑑み、衣服に接触するスライド基体の接触抵抗を軽減して移動し易くした釣り用ウエストバックを提供することである。
【０００８】
【課題を解決するための手段】
上記課題を解決するために、
請求項１に係わる本発明は、スライド基体をベルトに遊嵌すると共に前記スライド基体の外側にバックを設け、前記スライド基体のベルトに沿って移動する移動方向の内側の端部に傾斜面を設けたことを要旨とするものである。
請求項２に係わる本発明は、前記スライド基体の内側の傾斜面をベルト挿入口から立ち上げたことを要旨とするものである。
【０００９】
【発明の実施の形態】
本発明においては、釣り用バック本体３が取り付けられたスライド基体２の内側背面に傾斜面２ｄ、２ｅ、２ｆが形成されているので、スライド基体２の両端は衣服に引っ掛かり難くく、スライド基体２と釣り用バック本体３を容易に移動することができ、釣り用バック本体３の中から物を取り出す時には取っ手１１を引いて釣り用バック本体３を前側に移動して行い、釣竿操作（キャスティングやリ−ルの巻き取り）を行う時は、釣り用バック本体３を押して後ろ側に移動することで釣中操作の邪魔にならない。
【００１０】
本発明により、ウエストベルト１が釣人の腰に装着される時、長さがバックル５、６と長さ調整環７で調整されて取り付けられ、スライド基体２と釣り用バック本体３はウエストベルト１の長手方向の中程（身体に取り付けたときは身体の前側から体側を通って後ろ側）に亘って移動自在なので、釣り用バック本体３を身体の前側から後ろ側に移動することが出来る。
釣り用バック本体３が取り付けられたスライド基体２の内側背面に傾斜面２ｄ、２ｅ、２ｆが形成されているので、スライド基体２の両端は衣服に引っ掛かり難くく、釣り用バック本体３を容易に移動することができ、釣り用バック本体３の中から物を取り出す時には身体の前側に移動し、釣竿操作を行う時は、後ろ側に移動することで釣中操作の邪魔にならず、また、身体の後ろ側から前側へ移動することもできる。
釣り用バック本体３の移動する身体の前側と後ろ側は、ウエストベルト１を釣人に止着した時の身体の腹側と背中側であり、およそ釣人が腕を下ろした時の腕の位置（体側）の前側と後側の領域がこれに該当する。
【００１１】
したがって釣人が身体の前側で釣り用バックから物の出し入れが無理なくできるような位置と釣りをしている時に釣り用バックが肘等に当たるなど腕の動きの邪魔になることのない位置であって、身体の真正面と真後ろに限定されない。
また、ウエストベルト１のバックル５、６を身体の正面（真正面）で止めると（釣人に取り付けた模式図の図４参照）、ウエストベルト１の長手方向中間位置が背面（真後ろ）となり、さらにこの正面（バックル５、６の位置）と背面（ウエストベルト１の長手方向中間位置）の中間が体側に該当する位置となる。
したがって前記正面と背面の中間の体側より前方が身体の前側で、体側より後方が身体の後ろ側となる。
【００１２】
【実施例】
以下、図示の実施例によって本発明を説明すると、図１から図４は第１実施例で、図１はウエストベルトに取り付けられた釣り用ウエストバックの斜視図と釣り用ウエストバックの拡大斜視図、図２はウエストベルトとスライド基体を断面にした釣り用ウエストバックの平面図、図３はウエストベルトを断面にした釣り用ウエストバックの側面図、図４は釣人と釣り用ウエストバックの平面説明図で、身体に取り付けた時の模式図である。
【００１３】
釣り用ウエストバックはウエストベルト１にスライド基体２がウエストベルト１の長手方向に移動自在に取り付けられてスライド基体２の外側に、上方に開口を有する釣り用バック本体３が取り付けられている。
ウエストベルト１はベルト体４と、ベルト体４の一端４ａに取り付けられたバックル（係止部材）５と、ベルト体４の折り返し部４ａに取り付けられたバックル（係合部材）６と、ベルト体４の長さを調整する長さ調整環（保持部材）７で構成されている。
ベルト体４は扁平な紐や合成樹脂繊維の織布からなっている。
係脱自在のバックル５、６が係合され釣人Ａの正面に配置されてウエストベルト１が釣人Ａの腰に装着され、スライド基体２と釣り用バック本体３は身体の一側の前側から後ろ側の間に配置される。
【００１４】
ベルト体４の折り返し部４ａではバックル６を介して折り返されると共に保持され、折り返されたベルト体４は折り返し前のベルト体４に重ねて添設され、二枚重ねで長さ調整環７に挿通されて保持される。
バックル６のベルト挿通孔は透孔の中に可動する支柱が挿入されてベルト体４の折り返し部４ａが支柱を回り込んで引っ張り方向に力が掛かった時抜け難く形成されている。
【００１５】
スライド基体２は金属材や合成樹脂材で形成されている。
スライド基体２は台部２ａのウエストベルト１の長手方向（移動方向）両側に平板部２ｂ、２ｂが突出形成され、スライド基体２の台部２ａにベルト体４の長手方向に穿設され、台部２ａの両側に開口するウエストベルト１のベルト体４が遊嵌される透孔２ｃと、台部２ａのウエストベルト１の内側になる背面全体がスライド基体２の移動方向であるウエストベルト１の長手方向に連なってウエストベルト１の内側に向かって凸状となる湾曲状とし、これによって台部２ａの背面の中央が前記凸状の最も突出した高い部位となり、ここから透孔２ｃの両側のベルト挿入口ａ、ｂに向けてそれぞれ低くなるように形成した傾斜面２ｄとで形成されている。
【００１６】
傾斜面２ｄはベルト体４が遊嵌される透孔２ｃの一方のベルト挿入口ａと他方のベルト挿入口ｂから夫々立ち上がっているためスライド基体２の背面のベルト挿入口ａ、ｂの開口には移動方向に直行する面がなくスライド時に衣服に引っ掛からない。
スライド基体２の平板部２ｂ、２ｂの前側には図２のようにリベット８で釣り用バック本体３が固定されている。
リベット８に代えて接着、ビス止め、縫着等で固定してもよいし、スライド基体２と釣り用バック本体３を一体に形成してもよい。
【００１７】
釣り用バック本体３の材料は、防水性を有していることが好ましい。
釣り用バック本体３は上方に開口を有する釣り具等を入れる収納部を有し、開口には蓋体９が係合チャック１０で開閉自在に閉じられている。
蓋体９はベルベット式ファスナ−やホック等で開閉自在に閉じられてもよい。
釣り用バック本体３の側部には取っ手１１の上下の端部が固定されている。
取っ手１１は釣り用バック本体３の上記以外の位置に設けてもよく、布製のほか合成樹脂製や木製でもよい。
【００１８】
釣り用ウエストバックが釣人の腰に装着される時、ウエストベルト１のベルト体４の長さがバックル６と長さ調整環７で調整されて取り付けられ、スライド基体２の透孔２ｃの中をベルト体４が遊嵌されているので、釣り用バック本体３を手で押したり引いたりすればスライド基体２と共にウエストベルト１に沿って前側から体側を通って後ろ側に釣人の身体回わりに回して移動することが出来る。
この時スライド基体２の内側（背面）は釣人の衣服の上に重ねられているが、スライド基体２の内側の移動方向となる両端には少なくとも移動方向（ウエストベルト１の長手方向）に端部に向けて低くなる（内側への突出が小さくなる）傾斜面が形成されるため、スライド基体２の両端は衣服に引っ掛かり難くなる。
スライド基体２の内側背面全体が湾曲の傾斜面２ｄで形成されているので、その湾曲の凸状の最も突出した部位以外は衣服に接触し難くなり、強く接触する部分が小さいためよりいっそうスライド基体２の両端は衣服に引っ掛かり難くい。
【００１９】
前記のように釣り用ウエストバックが構成されると、釣り用バック本体３が取り付けられたスライド基体２の内側に傾斜面２ｄが形成されているので、スライド基体２の移動時に移動方向前方の傾斜面が移動するにしたがって衣服を内側へ押し逃がすようになるためスライド基体２の両端は衣服に引っ掛かり難くく、傾斜面２ｄはベルト挿入口ａ、ｂからスライド基体２の内側（背面）の中央になるにしたがって徐々に傾斜が緩くなって最も突出する部分の衣服との摩擦を小さくし引っ掛かり難くしている。
そして、スライド基体２と釣り用バック本体３を容易に移動することができ、釣り用バック本体３の中から物を取り出す時には取っ手１１を引いて釣り用バック本体３を前側に移動して行い、釣竿操作（キャスティングやリ−ルの巻き取り）を行う時は、釣り用バック本体３を押して後ろ側に移動することで釣中操作の邪魔にならない。
【００２０】
傾斜面はスライド基体２の内側の厚みの３分の２以上に亘って設け、傾斜面の最も高い部分と最も低い部分を通る線分でウエストベルト１の長手方向に対して４５°より小さいことが好ましい。
【００２１】
尚、第１実施例の釣り用ウエストバックを用いて、スライド基体２と釣り用バック本体３を移動させて、身体の前側に移動させたときの釣り用バックの物の取り出し具合と、身体の後ろ側に移動させた時の釣り操作具合（キャスティングとリ−ルの巻き取りで釣り用バック本体３が邪魔にならないか）について調べた。
調査は、大きさ、縦７ｃｍ、横１６ｃｍ、高さ１６ｃｍで、上方に開口を有する釣り用バック本体３を使用し、バックル５、６は身体の正面（真正面）で止めて、ウエストベルト１の長手方向中間位置を背面（真後ろ）とし、さらに、この正面と背面の中間を体側に該当する位置として釣り人１０人が評価した。
【００２２】
その結果、身体の前側に移動させたときの釣り用バックの物の取り出し具合について良好とした人は、スライド基体２と釣り用バック本体３の位置を体側から前側３ｃｍの場合０人、５ｃｍで０人、８ｃｍで６人（良好との回答が得られ、かつ過半数を上回った）、１０ｃｍで１０人（全員から良好の回答が得られた）、１５ｃｍで１０人、２５ｃｍの身体正面で１０人であった。
一方、身体の後ろ側に移動させたときの釣り用バックに対する釣り操作の具合について良好とした人は、スライド基体２と釣り用バック本体３の位置を体側から後ろ側３ｃｍの場合０人、５ｃｍで７人（良好との回答が得られ、かつ過半数を上回った）、８ｃｍで１０人（全員から良好の回答が得られた）、１０ｃｍで１０人、１５ｃｍで１０人、２５ｃｍの身体背面（真後ろ）で１０人であった。
【００２３】
したがって、スライド基体２と釣り用バック本体３の位置は、体側から前側８ｃｍ以上（好ましくは１０ｃｍ以上）とし、身体正面位置まで設けてもよく、スライド基体２と釣り用バック本体３の位置は、体側から後ろ側５ｃｍ以上（好ましくは８ｃｍ以上）とし、身体背面位置まで設けてもよい。
また、スライド基体２の内側の傾斜面の角度は最も高い部分と低い部分を結ぶ線分の角度で６０°以上になると衣服に引っ掛かり１０°では滑りが悪かったがその他１５°、３０°、４５°にすると滑りが良いことを１０人の釣人にテストしてもらい確認した。
【００２４】
図５は第２実施例で、図５はウエストベルトとスライド基体を断面にした釣り用ウエストバックの平面図である。
【００２５】
第２実施例では、ウエストベルト１のベルト体４はスライド基体２の透孔２ｃに遊嵌され、台部２ａのウエストベルト１の内側になる背面の両端には湾曲の傾斜面２ｅ、２ｅが形成されている。
傾斜面２ｅ、２ｅはベルト体４が遊嵌される透孔２ｃの一方のベルト挿入口ａと他方のベルト挿入口ｂから夫々湾曲面を形成し立ち上がっている。
したがってウエストベルト１の長手方向に直交する面は有しないがスライド基体２の内側にウエストベルトに沿った平面を有していてもよい。
スライド基体２の平板部２ｂの前側にはリベット８で釣り用バック本体３が固定されている。
他の構成は前記第１実施例と略同一である。
【００２６】
図６は第３実施例で、図６はウエストベルトとスライド基体を断面にした釣り用ウエストバックの平面図である。
【００２７】
第３実施例では、ウエストベルト１のベルト体４はスライド基体２の透孔２ｃに遊嵌され、台部２ａのウエストベルト１の内側になる背面の両端には直線の傾斜面２ｆ、２ｆが形成されている。
傾斜面２ｆ、２ｆはベルト体４が遊嵌される透孔２ｃの一方のベルト挿入口ａと他方のベルト挿入口ｂから夫々平面を形成し立ち上がっている。
したがってウエストベルト１の長手方向に直交する面は有しないがスライド基体２の内側にウエストベルトに沿った平面を有していてもよい。
スライド基体２の平板部２ｂの前側にはリベット８で釣り用バック本体３が固定されている。
他の構成は前記第１実施例と略同一である。
【００２８】
図７は第４実施例で、図７はウエストベルトとスライド基体と釣り用ウエストバックの側面図である。
【００２９】
第４実施例では、ウエストベルト１のベルト体４はスライド基体２の透孔２ｃに遊嵌され、台部２ａのウエストベルト１の内側になる背面全体が湾曲の傾斜面２ｄとで形成されている。
傾斜面２ｄはベルト体４が遊嵌される透孔２ｃの一方のベルト挿入口ａと他方のベルト挿入口ｂから夫々立ち上がっている。
スライド基体２の平板部２ｇにはナス環１２が吊り下げるように取り付けられて釣り用バック本体３に固定されたＤ字環１３が係止されスライド基体２に釣り用バック本体３が着脱可能になっている。
他の構成は前記第１実施例と略同一である。
【００３０】
【発明の効果】
本発明は、以上説明したような形態で実施され、以下に記載されるような効果を奏する。
【００３１】
ウエストベルトで釣人の腰に装着されたスライド基体と釣り用バック本体をウエストベルトに沿って身体の前側と後ろ側に容易に移動することができ、釣り用バック本体の中から物を取り出す時には前側に移動し、釣竿操作を行う時は、後ろ側に移動することで釣り用バック本体の中から物を取り出しがし易く、キャスティングなど釣りの操作の邪魔にならない。
【図面の簡単な説明】
【図１】第１実施例で、ウエストベルトに取り付けられた釣り用ウエストバックの斜視図と釣り用ウエストバックの拡大斜視図である。
【図２】同ウエストベルトとスライド基体を断面にした釣り用ウエストバックの平面図である。
【図３】同ウエストベルトを断面にした釣り用ウエストバックの側面図である。
【図４】同釣人と釣り用ウエストバックの平面説明図で、身体に取り付けた時の模式図である。
【図５】第２実施例で、ウエストベルトとスライド基体を断面にした釣り用ウエストバックの平面図である。
【図６】第３実施例で、ウエストベルトとスライド基体を断面にした釣り用ウエストバックの平面図である。
【図７】第４実施例で、ウエストベルトとスライド基体と釣り用ウエストバックの側面図である。
【符号の説明】
１  ウエストベルト
２  スライド基体
２ｄ、２ｅ、２ｆ  傾斜面
３  釣り用バック本体
ａ、ｂ  ベルト挿入口
【図１】
2004254539.tif 000003
【図２】
2004254539.tif 000004
【図３】
2004254539.tif 000005
【図４】
2004254539.tif 000006
【図５】
2004254539.tif 000007
【図６】
2004254539.tif 000008
【図７】
2004254539.tif 000009